(57)【要約】【課題】撮影方向を切り替える可動部を簡略化し、構造的にも破損し難く、操作性に優れたカメラ付き携帯電話機を提供する。【解決手段】収容筐体１０は、アンテナ１１、種々の送受信に関する情報を表示し得る表示部１２、電話操作キー１３、被写体を撮影するための撮影用開口部２１、２３を備える。カメラ部３１は、スライドするレンズカバー２２の開閉により、表示部１２の裏側に位置する撮影用開口部２１からの前方（通常）撮影と、反射ミラー５１、５２を介して表示部１２側の撮影用開口部２３からの操作者自己撮影とが切り替えられる。【選択図】      図１
2005017569.tif 000002
【特許請求の範囲】
【請求項１】
収容筐体にカメラ部と、該カメラ部の前方および後方に設けられた第１および第２の撮影用開口部とを有するカメラ付き携帯電話機であって、前記カメラ部の撮影方向を前方／後方に切り替えるため、前記第１の撮影用開口部を開閉するレンズカバーを有することを特徴とするカメラ付き携帯電話機。
【請求項２】
前記収容筐体は、前記カメラ部が前記第２の撮影用開口部を通して後方を撮影するために、第１の反射ミラーと第２の反射ミラーとを備えることを特徴とする請求項１記載のカメラ付き携帯電話機。
【請求項３】
前記レンズカバーは、閉じた時には前記第１の撮影用開口部を塞いで遮光し、開いた時には被写体からの光が前記第１の撮影用開口部から直接前記カメラ部に到達するようスライド操作されることを特徴とする請求項１記載のカメラ付き携帯電話機。
【請求項４】
前記レンズカバーは、前記カメラ部の対面側に光軸の方向を変える前記第１の反射ミラーが所定の角度で設けられることを特徴とする請求項１、２又は３記載のカメラ付き携帯電話機。
【請求項５】
前記第２の反射ミラーは、前記第２の撮影用開口部からの入射光を前記第１の反射ミラーを介して前記カメラに結像させる角度に固定されていることを特徴とする請求項１又は２記載のカメラ付き携帯電話機。
【請求項６】
各種情報を表示する表示部と、被写体を撮影するためのカメラ部と、前記カメラ部の前方および後方に設けられた第１および第２の撮影用開口部と、前記第１の撮影用開口部を開閉するレンズカバーと、前記レンズカバーの内側に備える第１の反射ミラーと、前記第１の反射ミラーとを組み合わせて前記第２の撮影用開口部からの入射光を前記カメラ部に結像させる第２の反射ミラーと、を備えたことを特徴とするカメラ付き携帯電話機
【請求項７】
前記カメラ部は、前記レンズカバーのスライド式開閉により撮影方向が切り替えられることを特徴とする請求項６記載のカメラ付き携帯電話機。
【発明の詳細な説明】
【０００１】
【発明の属する技術分野】
本発明は、カメラ付き携帯電話機に関し、特に撮影方向をワンタッチで切り替えることができるカメラ付き携帯電話機に関する。
【０００２】
【従来の技術】
従来のこの種のカメラ付き携帯電話機は、情報を表示する表示部と光学ユニットおよび撮像素子を含むカメラ部とを収納した収容筐体の表側に第１レンズおよび裏側に第２レンズを設け、両者の間に設けた回動自在の反射ミラーの向きを切り替えるようにすることで、表示部にて撮影画像を確認しながら収容筐体の表側、裏側のいずれ側にある被写体をも撮影することができるとしている（例えば、特許文献１参照。）。
【０００３】
しかしながら、この従来のカメラ付き携帯電話機は、収容筐体の表側、裏側の撮影切り替えを反射ミラーの回動により行っているために、振動や衝撃といった携帯電話が受けやすい外乱に弱いという問題点があった。
【０００４】
【特許文献１】
特開２００３−９１０４１号公報
【０００５】
【発明が解決しようとする課題】
上述した従来のカメラ付き携帯電話機は、収容筐体の表側、裏側の撮影切り替えを反射ミラーの回動により行っているために、振動や衝撃などの外乱に弱いという欠点がある。
【０００６】
本発明の目的は、このような従来の欠点を除去するため、収容筐体の表側、裏側の撮影切り替えをレンズカバーのスライド操作で行うことにより、可動部を簡略化し構造的にも破損し難く、操作性に優れたカメラ付き携帯電話機を提供することにある。
【０００７】
【課題を解決するための手段】
本発明のカメラ付き携帯電話機は、収容筐体にカメラ部と、該カメラ部の前方および後方に設けられた第１および第２の撮影用開口部とを有するカメラ付き携帯電話機であって、前記カメラ部の撮影方向を前方／後方に切り替えるため、前記第１の撮影用開口部を開閉するレンズカバーを有することを特徴としている。
【０００８】
また、前記収容筐体は、前記カメラ部が前記第２の撮影用開口部を通して後方を撮影するために、第１の反射ミラーと第２の反射ミラーとを備えることを特徴としている。
【０００９】
また、前記レンズカバーは、閉じた時には前記第１の撮影用開口部を塞いで遮光し、開いた時には被写体からの光が前記第１の撮影用開口部から直接前記カメラ部に到達するようスライド操作されることを特徴としている。
【００１０】
また、前記レンズカバーは、前記カメラ部の対面側に光軸の方向を変える前記第１の反射ミラーが所定の角度で設けられることを特徴としている。
【００１１】
また、前記第２の反射ミラーは、前記第２の撮影用開口部からの入射光を前記第１の反射ミラーを介して前記カメラに結像させる角度に固定されていることを特徴としている。
【００１２】
また、本発明のカメラ付き携帯電話機は、各種情報を表示する表示部と、被写体を撮影するためのカメラ部と、前記カメラ部の前方および後方に設けられた第１および第２の撮影用開口部と、前記第１の撮影用開口部を開閉するレンズカバーと、前記レンズカバーの内側に備える第１の反射ミラーと、前記第１の反射ミラーとを組み合わせて前記第２の撮影用開口部からの入射光を前記カメラ部に結像させる第２の反射ミラーと、を備えたことを特徴としている。
【００１３】
また、前記カメラ部は、前記レンズカバーのスライド式開閉により撮影方向が切り替えられることを特徴としている。
【００１４】
【発明の実施の形態】
次に、本発明の実施の形態について図面を参照して説明する。図１は、本発明のカメラ付き携帯電話機の一つの実施の形態を示す表側の概略を示す外観図である。また、図２は、図１に示すカメラ付き携帯電話機の裏側を示す外観図である。
【００１５】
図１および図２に示す本実施の形態は、収容筐体１０と、アンテナ１１と、収容筐体１０の表面に設けられ種々の送受信に関する情報を表示し得る表示部（液晶モニター）１２と、種々の電話操作キー１３と、被写体を撮影するための撮影用開口部２１、２３とを備えて構成されている。
【００１６】
次に、カメラ部の配置構成を図３により説明する。図３は、図１に示すカメラ付き携帯電話機のカメラ部周囲の内部を示す横断面図である。
【００１７】
図３によると、種々の信号処理を行なう回路基板４１と、回路基板４１に搭載されたカメラ部３１と、カメラ部３１に備えるカメラレンズ３２の正面に位置する撮影用開口部２１と、撮影用開口部２１を開閉するレンズカバー２２と、レンズカバー２２のカメラレンズ３２に対面する側に設けられた反射ミラー５１と、レンズカバー２２を閉じたときに反射ミラー５１と組み合わせて光軸の向きを変える反射ミラー５２と、撮影用開口部２１と対向する位置で被写体からの光を取り入れ、透明なレンズ状の蓋２４が取り付けられた撮影用開口部２３とをより構成されている。
【００１８】
このような構成において、折り畳み式携帯電話機を開いた場合に、表示部１２で被写体の画像を確認しながら、スライド式のレンズカバー２２をスライドするというワンタッチ操作で、カメラレンズ３２の前方および後方で撮影方向の切り替えを行うことができる。
【００１９】
次に、本実施の形態のカメラ付き携帯電話をデジタルカメラとして使用する場合を説明する。図４は表示部の背面撮影時の撮影範囲を示す図であり、図５は表示部の手前側撮影時の撮影範囲を示す図である。
【００２０】
まず、前方の被写体を対象とする通常の撮影時は、レンズカバー２２を開けることにより、携帯電話機の表示部１２で撮像を確認しながら表示部１２の背面側の被写体を撮影することができる。
【００２１】
被写体からの光は、図４に示すように、表示部１２の裏側に位置する撮影用開口部２１を通って直接カメラ部３１に到達する。これより、表示部１２による撮像を見ながら撮影が可能となる。この時の撮影範囲６１は、図４に示す点線のようになる。
【００２２】
一方、操作者の自己撮影時は、レンズカバー２２を閉めることにより、携帯電話機の表示部１２の手前側の被写体を撮影することができる。
【００２３】
被写体からの光は、図５に示すように、表示部１２側の撮影用開口部２３のレンズ状の蓋２４を通り、反射鏡５２および反射鏡５１により順次屈折されてカメラ部３１のカメラレンズ３２に結像される。これより、表示部１２による撮像を見ながら撮影が可能となる。この時の撮影範囲６２は、図５に示す点線のようになる。
【００２４】
【発明の効果】
以上説明したように、本発明のカメラ付き携帯電話機によれば、光の反射を利用して、１つのカメラ部で通常撮影用と自己撮影用との２方向の撮影機能を１つのカメラ部により実現しているので、小型化、軽量化を図り、製造コストを抑えることができる。
【００２５】
また、撮影方向の切り替えをレンズカバーをスライドするという簡単な操作により、反射ミラーを回転させる等の機械的に複雑な構造がないため、振動や衝撃などの外乱の影響を受けることが少なくなるという効果がある。
【図面の簡単な説明】
【図１】本発明のカメラ付き携帯電話機の一つの実施の形態を示す表側の概略を示す外観図である。
【図２】図１に示すカメラ付き携帯電話機の裏側を示す外観図である。
【図３】図１に示すカメラ付き携帯電話機のカメラ部周囲の内部を示す横断面図である。
【図４】表示部の背面撮影時の撮影範囲を示す図である。
【図５】表示部の手前側撮影時の撮影範囲を示す図である。
【符号の説明】
１０    収容筐体
１１    アンテナ
１２    表示部
１３    操作キー
２１    撮影用開口部
２２    レンズカバー
２３    撮影用開口部
２４    レンズ状の蓋
３１    カメラ部
３２    カメラレンズ
４１    回路基板
５１、５２    反射ミラー
６１、６２    撮影範囲
【図１】
2005017569.tif 000003
【図２】
2005017569.tif 000004
【図３】
2005017569.tif 000005
【図４】
2005017569.tif 000006
【図５】
2005017569.tif 000007